(57)【特許請求の範囲】
【請求項１】
空調システムの室外機内に設けられ、冷媒配管に電線を固定するための電線固定具であって、
金属からなり、前記冷媒配管を保持する冷媒配管保持部と、
前記電線を保持する電線保持部と、
樹脂からなり、前記冷媒配管から前記電線への熱伝導を抑制しつつ、前記冷媒配管保持部と前記電線保持部とを互いに連結する連結部とを備えることを特徴とする電線固定具。
【請求項２】
前記連結部は、前記冷媒配管保持部と前記電線保持部との間に延在する略棒状に形成され、該連結部によって形成される前記冷媒配管保持部と前記電線保持部との間の距離は、前記冷媒配管から前記電線への熱伝導を抑制する距離とされていることを特徴とする請求項１に記載の電線固定具。
【請求項３】
空調システムの室外機内に設けられ、冷媒配管に電線を固定するための電線固定具であって、
前記冷媒配管を保持する冷媒配管保持部と、
前記電線を保持する電線保持部と、
前記冷媒配管から前記電線への熱伝導を抑制しつつ、前記冷媒配管保持部と前記電線保持部とを互いに連結する連結部とを備え、
前記連結部は、前記冷媒配管保持部と前記電線保持部との間に延在する略棒状に形成され、該連結部によって形成される前記冷媒配管保持部と前記電線保持部との間の距離は、前記冷媒配管から前記電線への熱伝導を抑制する距離とされており、
前記連結部は、前記電線の長さ方向を前記冷媒配管の長さ方向に対して変更可能とするように、捻転自在に形成されていることを特徴とする電線固定具。
【請求項４】
前記連結部は、前記冷媒配管から前記電線への熱伝導を抑制する厚さを備えていること
を特徴とする請求項１に記載の電線固定具。
【請求項５】
前記電線保持部は、
前記電線を挟持する挟持部と、
前記挟持部が前記電線を挟持する圧力を適度な大きさに調整するように弾性変形可能な弾性部と
を含むことを特徴とする請求項１から請求項４のいずれかに記載の電線固定具。
【発明の詳細な説明】
【技術分野】
【０００１】
本発明は、空調システムの室外機内において冷媒配管に電線を固定するために用いられる電線固定具に関するものである。
【背景技術】
【０００２】
空調システムの室外機内において、センサ等からの通信線、ヒータ等のコードを含む電線を所定の経路に取り廻した後、冷媒配管に固定することが行われている。これにより、室外機内において電線の通る経路が確定される。室外機内においては、冷媒配管は例えば１５０℃程度の高温となる。したがって、冷媒配管に電線を固定するに際しては、冷媒配管の発熱による電線の損傷を防ぐ必要がある。そこで、例えば図１１に示すように、冷媒配管５を断熱材パイプ６で被覆した上から電線８をあてがい、さらにその上から電線８を断熱材パイプ６とともに結束バンド７等で縛って固定することが行われている。
【先行技術文献】
【特許文献】
【０００３】
【特許文献１】特開２００１−３２０８１９号公報
【特許文献２】特許第４２８８３６２号公報
【特許文献３】特開２０００−１７１０６１号公報
【発明の概要】
【発明が解決しようとする課題】
【０００４】
しかし、この方法では、冷媒配管に電線を固定するために、断熱材パイプと結束バンド等とを必要とする。したがって、冷媒配管に電線を固定するのに必要な部品点数が多くなるとともに、固定のための工数も増加してしまう。また、冷媒配管の径は数種類あるため、この冷媒配管の形状等に応じて、複数種類の径や長さの断熱材パイプを用意する必要がある。
【０００５】
特許文献１には、電線ケーブルをプリント回路基板や筐体などの固定面に固定するための電線ケーブル固定具が開示されている。しかし、特許文献１に開示の電線ケーブル固定具では、電線を固定面に固定する際、結束バンドで電線ケーブルと電線ケーブル固定具とを結束して固定するとともに、ネジや結束バンドで電線ケーブル固定具を固定対象物に固定するので、電線を固定対象物に固定するための工数が非常に多くなる。
【０００６】
また、特許文献２には、電線などの線状部材を固定対象物に取り付ける際に用いる固定補助具が開示されている。しかし、特許文献２に開示の固定補助具は、電線ケーブルを固定対象物に取り付ける際に電線ケーブルが潰れることを防止するためのものであって、固定補助具に設けられた挿入孔に電線ケーブルを挿入した上で、この固定補助具を固定対象物に締結することによって、電線ケーブルを固定対象物に固定する。このため、電線ケーブルは固定対象物に対して摺動可能な状態で固定され、強固には固定されない。したがって、運搬・設置時などに振動を受ける空調システムの室外機内において冷媒配管に電線を固定する用途には、特許文献２に開示の固定補助具は適していない。
【０００７】
また、特許文献１、特許文献２に開示されている電線ケーブル固定具、固定補助具は、電線の固定対象物が空調システムの室外機内における冷媒配管のように高温になることを考慮していない。したがって、これら電線ケーブル固定具、固定補助具単独では、冷媒配管の発熱による電線の損傷を防ぐことができず、断熱材を併用する必要がある。
【０００８】
また、特許文献３は、空調システムの室外機内において冷媒配管どうしを固定する配管保持具を開示している。しかし、特許文献３には、空調システムの室外機内において電線を引き廻す際に、冷媒配管に電線を固定する方法については開示がない。
【０００９】
本発明は、このような事情に鑑みてなされたものであって、空調システムの室外機内において、冷媒配管の発熱から電線を保護しつつ冷媒配管に電線を固定するに際し、少ない部品点数で簡単な作業により電線を固定することのできる電線固定具を提供することを目的とする。
【課題を解決するための手段】
【００１０】
上記課題を解決するために、本発明は以下の手段を採用する。
【００１１】
本発明の第１態様に係る電線固定具は、空調システムの室外機内に設けられ、冷媒配管に電線を固定するための電線固定具であって、金属からなり、前記冷媒配管を保持する冷媒配管保持部と、前記電線を保持する電線保持部と、樹脂からなり、前記冷媒配管から前記電線への熱伝導を抑制しつつ、前記冷媒配管保持部と前記電線保持部とを互いに連結する連結部とを備えている。
【００１２】
この電線固定具によれば、電線を保持する電線保持部が冷媒配管を保持する冷媒配管保持部から連結部によって隔てられた状態で、冷媒配管から電線への熱伝導を抑制するようにして、冷媒配管に電線が固定される。したがって、空調システムの運転時に室外機内において冷媒配管が高温になっても、冷媒配管の発熱によって電線が損傷を受けることを抑制できる。
【００１３】
さらに、冷媒配管保持部と電線保持部が連結部によって連結されてひとつの電線固定具としてまとめられている。したがって、冷媒配管に電線を固定する際にひとつの電線固定具を使用すれば固定でき、電線の固定に必要な部品点数が少なくなるとともに、電線の固定のための作業の工数も削減できる。この結果、空調システムの室外機の製造コストの低減を図ることができる。
【００１７】
本構成によれば、冷媒配管の発熱によって冷媒配管が高温になった状態においても、この冷媒配管を把持する冷媒配管保持部が金属からなるので、冷媒配管保持部は樹脂のようには軟化せず、冷媒配管保持部が冷媒配管を把持する圧力はさほど低下しない。したがって、冷媒配管が高温になった状態においても、冷媒配管保持部によって冷媒配管が強固に把持され、冷媒配管に電線を確実に固定することができる。
【００１８】
本発明の第１態様に係る電線固定具においては、前記連結部は、前記冷媒背反保持部と前記電線保持部との間に延在する略棒状に形成され、該連結部によって形成される前記冷
媒配管保持部と前記電線保持部との間の距離は、前記冷媒配管から前記電線への熱伝導を抑制する距離とされていることが望ましい。
【００１９】
本構成によれば、簡単な構造によって、冷媒配管から電線への熱伝導の抑制を図り、冷媒配管の発熱から電線を確実に保護することができる。熱伝導を抑制する距離としては、冷媒配管保持部に保持された冷媒配管の発熱によって電線保持部に保持された電線が損傷を受けることを抑制する距離が採用される。具体的には、空調システムの運転時に冷媒配管が例えば約１５０℃の高温となった場合にも、この冷媒配管に電線固定具を介して固定された電線の温度を約８０℃以下に抑える距離が採用される。
【００２０】
本発明の第２態様に係る電線固定具は、空調システムの室外機内に設けられ、冷媒配管に電線を固定するための電線固定具であって、前記冷媒配管を保持する冷媒配管保持部と、前記電線を保持する電線保持部と、前記冷媒配管から前記電線への熱伝導を抑制しつつ、前記冷媒配管保持部と前記電線保持部とを互いに連結する連結部とを備え、前記連結部は、前記冷媒配管保持部と前記電線保持部との間に延在する略棒状に形成され、該連結部によって形成される前記冷媒配管保持部と前記電線保持部との間の距離は、前記冷媒配管から前記電線への熱伝導を抑制する距離とされており、前記連結部は、前記電線の長さ方向を前記冷媒配管の長さ方向に対して変更可能とするように、捻転自在に形成されている。
【００２１】
本発明の第２態様に係る電線固定具によれば、空調システムの室外機内において様々な方向に取り廻される電線を冷媒配管に固定する際、冷媒配管の長さ方向と同じ方向に限らず様々な向きに電線を固定することができる。
【００２２】
本発明の電線固定具においては、前記連結部は、前記冷媒配管から前記電線への熱伝導を抑制する厚さを備えていることが望ましい。
【００２３】
本構成によれば、簡単な構造によって、冷媒配管から電線への熱伝導の抑制を図り、冷媒配管の発熱から電線を確実に保護することができる。
【００２４】
本発明の電線固定具においては、前記電線保持部は、前記電線を挟持する挟持部と、前記挟持部が前記電線を挟持する圧力を適度な大きさに調整するように弾性変形可能な弾性部を含むことが望ましい。
【００２５】
本構成によれば、電線が適度な圧力で電線保持部の挟持部に挟持されるので、電線に損傷を与えることなく、冷媒配管に電線を確実に固定することができる。
【発明の効果】
【００２６】
本発明の電線固定具によれば、空調システムの室外機内において、冷媒配管の発熱から電線を保護しつつ冷媒配管に電線を固定するに際し、少ない部品点数で簡単な作業により電線を固定することができる。
【図面の簡単な説明】
【００２７】
【図１】本発明の第１実施形態に係る電線固定具を示す側面図である。
【図２】本発明の第１実施形態に係る電線固定具の使用状況を示す側面図である。
【図３】本発明の第１実施形態に係る電線固定具の変形例の要部を示す斜視図である。
【図４】本発明の第１実施形態に係る電線固定具の変形例の押圧部を示す斜視図である。
【図５】本発明の第１実施形態に係る電線固定具の変形例の要部を示す側面図である。
【図６】本発明の第２実施形態に係る電線固定具を示す側面図である。
【図７】本発明の第３実施形態に係る電線固定具を示す側面図である。
【図８】本発明の第３実施形態に係る電線固定具の使用状況を示す側面図である。
【図９】本発明の第４実施形態に係る電線固定具を示す斜視図である。
【図１０】本発明の第４実施形態に係る電線固定具の使用状況を示す斜視図である。
【図１１】従来の電線の冷媒配管への固定状況を示す側面図である。
【発明を実施するための形態】
【００２８】
以下に、本発明に係る電線固定具の実施形態について、図面を参照して説明する。
〔第１実施形態〕
以下、本発明の第１実施形態について、図１を用いて説明する。第１実施形態の電線固定具１は、空調システムの室外機内において、センサ等からの通信線、ヒータ等のコードを含む電線８を所定の経路に取り廻した後、室外機の冷媒配管５にこの電線８を固定することで、室外機内において電線８の通る経路を確定するために用いられる。
【００２９】
電線固定具１は、耐熱耐光ポリプロピレン等のプラスチックからなる。図１に示すように、電線固定具１の一端には、冷媒配管５を把持する冷媒配管保持部１０が設けられている。電線固定具１の他端には、電線８を挟持する電線保持部２０が設けられている。冷媒配管保持部１０と電線保持部２０は、略棒状の連結部３０によって連結されている。
【００３０】
冷媒配管保持部１０は、側面から見て略Ｃ型状に配された一対の把持爪１１、１２を有している。これら把持爪１１、１２の内周は、冷媒配管５の外径よりもわずかに小径となる円形に形成されている。把持爪１１、１２の間に冷媒配管５を嵌め込むことによって、冷媒配管５が冷媒配管保持部１０に把持されるようになっている。
【００３１】
電線保持部２０は、略平板状の基板部２１と、基板部２１と略同形状の蓋部２２とを有している。基板部２１と蓋部２２とは蝶番状に一体的に形成されており、両者の接続部分を中心として蓋部２２が回動することで、蓋部２２は基板部２１に対して開閉可能とされている。
【００３２】
基板部２１の蓋部２２側の面には、ゴムなどの弾性材料からなるクッション（弾性部）２３が貼付されている。蓋部２２の基板部２１との接続部分とは反対側の部位には鈎状の爪部２５が形成されている。基板部２１の蓋部２２との接続部分とは反対側の部位には、爪部２５の形状と対応する形状の凸部２４が形成されている。
【００３３】
この構成により、電線８を基板部２１と蓋部２２との間に配置した状態で蓋部２２を基板部２１側に押しつけると、図２に示すように、爪部２５が凸部２４に係止される。この状態で、電線８はクッション２３の中に押し込まれるようにして基板部２１と蓋部２２との間に挟持されて、電線保持部２０に保持される。
【００３４】
連結部３０は、冷媒配管保持部１０側の第１部分３１と、電線保持部２０側の第２部分３２とが、捻転自在、すなわち捻れるように互いに回動自在に連結されて構成されている。この構成により、電線保持部２０の冷媒配管保持部１０に対する向きが変更可能とされている。
【００３５】
また、連結部３０の高さ３０Ｈは、空調システムの運転時に冷媒配管５が例えば約１５０℃の高温となった場合にも、この冷媒配管５に電線固定具１を介して固定された電線８の温度を約８０℃以下に抑えるのに十分な長さに設定されている。
【００３６】
このようにして、電線保持部２０に挟持された電線８は、連結部３０によって冷媒配管５から所定の高さだけ隔てられた状態で保持される。さらに、冷媒配管保持部１０、電線保持部２０および連結部３０は、熱伝導率が比較的小さいプラスチックから形成されている。したがって、冷媒配管５が発熱して高温になっても、冷媒配管保持部１０、電線保持部２０および連結部３０によって冷媒配管５から電線８への熱伝導が抑制され、冷媒配管５の発熱によって電線８が損傷を受けることを抑制できる。
【００３７】
さらに、冷媒配管保持部１０と電線保持部２０が連結部３０によって連結されてひとつの電線固定具１としてまとめられている。したがって、従来のように断熱材と結束バンドを使用しなくても、電線固定具１ひとつで電線８を、冷媒配管５から電線８への熱伝導を抑制しつつ冷媒配管５に固定することができる。したがって、冷媒配管５への電線８の固定に必要となる部品点数および工数を削減して室外ユニットの組み立て作業の効率化を図り、空調システムの室外機の製造コストの低減を図ることができる。
【００３８】
〔第１実施形態の変形例〕
上記第１実施形態の電線固定具１の変形例である電線固定具１’を、図３から図５に示す。本変形例の電線固定具１’の電線保持部２０、連結部３０は、第１実施形態の電線固定具１の電線保持部２０、連結部３０と同様のものである。本変形例の電線固定具１’は、第１実施形態における冷媒配管保持部１０に代えて、冷媒配管保持部４０を備えている。
【００３９】
図３に示すように、電線固定具１’の一端には、冷媒配管５を把持する冷媒配管保持部４０が設けられている。冷媒配管保持部４０は、冷媒配管５を把持する把持部４０Ａと、把持部４０Ａを外側から挟み込む押圧部４０Ｂ（図４参照）とを備えている。把持部４０Ａは、耐熱耐光ポリプロピレン等のプラスチックからなり、電線保持部２０および連結部３０と一体的に形成されている。押圧部４０Ｂは、金属製板ばねからなり、把持部４０Ａが前記冷媒配管５を把持する圧力を増強するように把持部４０Ａを外側から挟み込んでいる。
【００４０】
把持部４０Ａは、側面から見て略Ｃ型状に配された一対の把持爪４１、４２を有している。これら把持爪４１、４２の内周は、冷媒配管５の外径よりもわずかに小径となる円形に形成されている。把持爪４１、４２の間に冷媒配管５を嵌め込むことによって、冷媒配管５が把持部４０Ａに把持されるようになっている。
【００４１】
把持爪４１、４２のそれぞれには、外側から内側に向かって形成された溝４３が形成されており、把持爪４１の溝４３と把持爪４２の溝４３は、上端にて連通孔４４を通じて連通している。
【００４２】
図４に示すように、金属製板ばねからなる押圧部４０Ｂは、把持爪４１、４２の溝４３および連通孔４４の略Ｃ型状に湾曲する表面の曲率半径よりもやや小さい曲率半径で湾曲する形状に形成されている。押圧部４０Ｂは、冷媒配管保持部４０の連通孔４４に挿入され、図５に示すように、押圧部４０Ｂの中央部が連通孔４４内に位置する状態となるように、把持爪４１、４２の溝４３に嵌め込まれる。この構成により、押圧部４０Ｂは、冷媒配管保持部４０の把持部４０Ａが冷媒配管５を把持する力を増強する。
【００４３】
冷媒配管５が発熱して高温になると、冷媒配管保持部４０の把持部４０Ａを形成するプラスチックが軟化することがある。この場合、把持部４０Ａが冷媒配管５を把持する力が弱まってしまう。しかし、本変形例の電線固定具１’では、押圧部４０Ｂが、冷媒配管５を把持する把持部４０Ａを外側から押さえつけるので、たとえ把持部４０Ａが軟化したとしても、冷媒配管保持部４０が冷媒配管５を把持するのに必要な力は十分に維持される。
【００４４】
〔第２実施形態〕
以下、本発明の第２実施形態について、図６を用いて説明する。
【００４５】
第２実施形態の電線固定具１０１は、耐熱耐光ポリプロピレン等のプラスチックから一体的に形成された電線保持部１２０および連結部１３０と、金属製板ばねからなりこの連結部１３０を冷媒配管５の側面に押し付けて固定するための冷媒配管保持部１１０を備えている。第２実施形態の電線固定具１０１の電線保持部１２０は、第１実施形態の電線固定具１の電線保持部２０と同様の形状に形成されている。
【００４６】
図６に示すように、連結部１３０は略棒状に形成され、電線保持部１２０とは反対側の一端部に、連結部１３０を横断する方向（同図において水平方向）に貫通する貫通孔１３１を備えている。また、図６に示すように、連結部１３０の一端部の先端面１３２は、この先端面が１３２が冷媒配管５の側面に押し付けられたとき連結部１３０が冷媒配管５に対してぐらつくことのないように、略Ｖ字状に形成されている。
【００４７】
連結部１３０の貫通孔１３１には、上記冷媒配管保持部１１０が挿入されている。冷媒配管保持部１１０は、側面から見て略Ｃ型状に配された一対の把持爪１１１、１１２を有している。これら把持爪１１１、１１２の内周は、冷媒配管５の外径よりもわずかに小径となる円形に形成されている。把持爪１１１、１１２の間に冷媒配管５を嵌め込むことによって、連結部１３０の先端面１３２が冷媒配管５の側面に押し付けられる。つまり、連結部１３０およびこれと一体に形成された電線保持部１２０が冷媒配管５に対して固定的に保持されるようにして、冷媒配管５が冷媒配管保持部１１０に把持されるようになっている。この結果、電線８を挟持する電線保持部１２０が冷媒配管５を把持する冷媒配管保持部１１０から連結部１３０によって隔てられた状態で、電線８が冷媒配管５に固定される。
【００４８】
また、連結部１３０の高さ１３０Ｈは、空調システムの運転時に冷媒配管５が例えば約１５０℃の高温となった場合にも、この冷媒配管５に電線固定具１０１を介して固定された電線８の温度を約８０℃以下に抑えるのに十分な長さに設定されている。
【００４９】
第２実施形態の電線固定具１０１によれば、冷媒配管５が発熱して高温になり、電線保持部１２０および連結部１３０を形成するプラスチックが軟化しても、冷媒配管保持部１１０は金属製板ばねからなるので、冷媒配管保持部１１０が冷媒配管５を把持するのに必要な力は十分に維持される。そして、冷媒配管保持部１１０は、連結部１３０の先端面１３２を冷媒配管５の側面上に押し付けるようにして、冷媒配管５を把持する。したがって、電線固定具１０１の電線保持部１２０が冷媒配管５に対してぐらつくことなく保持される。
【００５０】
また、電線保持部１２０に挟持された電線８は、連結部１３０によって冷媒配管５から所定の高さだけ隔てられた状態で保持される。さらに、連結部１３０および電線保持部１２０は、熱伝導率が比較的小さいプラスチックから形成されている。したがって、冷媒配管５が発熱して冷媒配管５およびこれを把持する冷媒配管保持部１１０が高温になっても、連結部１３０および電線保持部１２０によって冷媒配管５および冷媒配管保持部１１０から電線８への熱伝導が抑制され、冷媒配管５の発熱によって電線８が損傷を受けることを抑制できる。
【００５１】
〔第３実施形態〕
以下、本発明の第３実施形態について、図７及び図８を用いて説明する。
電線固定具２０１は、耐熱耐光ポリプロピレン等のプラスチックからなる。図７に示すように、電線固定具２０１の一端には、冷媒配管５を把持する冷媒配管保持部２１０が設けられている。電線固定具２０１の他端には、電線８を挟持する電線保持部２２０が設けられている。冷媒配管保持部２１０と電線保持部２２０は、略厚板状の連結部２３０によって連結されている。
【００５２】
冷媒配管保持部２１０は、側面から見て略Ｃ型状に配された一対の把持爪２１１、２１２を有している。これら把持爪２１１、２１２の内周は、冷媒配管５の外径よりもわずかに小径となる円形に形成されている。把持爪２１１、２１２の間に冷媒配管５を嵌め込むことによって、冷媒配管５が冷媒配管保持部２１０に把持されるようになっている。
【００５３】
電線保持部２２０は、略平板状の基板部２２１と、基板部２２１と略同形状の蓋部２２２とを有している。基板部２２１と蓋部２２２とは蝶番状に一体的に形成され、両者の接続部分を中心として蓋部２２２が回動することで、蓋部２２２は基板部２２１に対して開閉可能とされている。
【００５４】
蓋部２２２の中央部には、蓋部２２２の他の部分より肉薄で、波状に摺曲する弾性部２２３が形成されている。蓋部２２２の基板部２２１との接続部分とは反対側の部位には鈎状の爪部２２５が形成されている。基板部２２１の蓋部２２２との接続部分とは反対側の部位には、爪部２２５の形状と対応する形状の凸部２２４が形成されている。
【００５５】
この構成により、電線８を基板部２２１と蓋部２２２との間に配置した状態で蓋部２２を基板部２２１側に押しつけると、図８に示すように、爪部２２５が凸部２２４に係止される。この状態で、基板部２２１と蓋部２２２との間に挟まれた電線８によって蓋部２２２が外側にはらみだそうとするので、弾性部２２３が若干変形して蓋部２２２が湾曲する。この弾性部２２３の復元力によって、電線８は適度な圧力で基板部２２１と蓋部２２２との間に挟持されて、電線保持部２０に保持される。
【００５６】
連結部２３０の厚さは、空調システムの運転時に冷媒配管５が例えば約１５０℃の高温となった場合にも、この冷媒配管５に接続された電線８の温度を約８０℃以下に抑えるのに十分な寸法に設定されている。
【００５７】
このようにして、電線保持部２２０に挟持された電線８は、連結部２３０によって冷媒配管５から隔てられた状態で保持される。さらに、冷媒配管保持部２１０、電線保持部２２０および連結部２３０は、熱伝導率が比較的小さいプラスチックから形成されている。したがって、冷媒配管５が発熱して高温になっても、冷媒配管保持部２１０、電線保持部２２０および連結部２３０によって冷媒配管５から電線８への熱伝導が抑制され、冷媒配管５の発熱によって電線８が損傷を受けることを抑制できる。
【００５８】
さらに、冷媒配管保持部２１０と電線保持部２２０が連結部２３０によって連結されてひとつの電線固定具２０１としてまとめられている。したがって、従来のように断熱材と結束バンドを使用しなくても、電線固定具２０１ひとつで電線８を、冷媒配管５から電線８への熱伝導を抑制しつつ冷媒配管５に固定することができる。したがって、冷媒配管５への電線８の固定に必要となる部品点数および工数を削減して室外ユニットの組み立て作業の効率化を図り、空調システムの室外機の製造コストの削減を図ることができる。
【００５９】
〔第４実施形態〕
以下、本発明の第４実施形態について、図９及び図１０を用いて説明する。第４実施形態の電線固定具３０１は、耐熱耐光ポリプロピレン等のプラスチックからなる。図９に示すように、電線固定具３０１の中央部には略厚板状の連結部３３０が設けられている。連結部３３０の一方の側面側には、冷媒配管５を結束して保持する配管保持部３１０が一体的に設けられている。連結部３３０の他方の側面側には、電線８を結束して保持する電線保持部３２０が一体的に設けられている。
【００６０】
配管保持部３１０は、連結部３３０の両側に延在する一対のバンド部３１１、３１２と、バンド部３１２の先端に形成された挿入孔３１３を備えている。図１０に示すように、冷媒配管５を取り囲むようにしてバンド部３１１、３１２を湾曲させ、バンド部３１１の先端を挿入孔３１３に挿入して冷媒配管５をバンド部３１１、３１２内に締結する。この際、バンド部３１１の先端部に連続的に形成された凹凸部３１１ａが挿入孔３１３と噛み合うことによって、冷媒配管５が配管保持部３１０に固定されるようになっている。
【００６１】
図９に示すように、電線保持部３２０は、連結部３３０の他方の側面から延在する二つのバンド部３２１と、同じく連結部３３０の他方の側面上に形成された二つの挿入孔３２２を備えている。図１０に示すように、電線８を連結部の他方の側面に沿わせた状態で電線８を取り囲むようにしてバンド部３２１を湾曲させ、バンド部３２１の先端を挿入孔３２２に挿入して電線８をバンド部３２１内に締結する。この際、バンド部３２１の表面に連続的に形成された凹凸部３２１ａが挿入孔３２２と噛み合うことによって、電線８が電線保持部３２０に固定されるようになっている。
【００６２】
連結部３３０の厚さ３３０Ｈは、空気調和機の運転時に冷媒配管５が例えば約１５０℃の高温となった場合にも、この冷媒配管５に接続された電線８の温度を約８０℃以下に抑えるのに十分な寸法に設定されている。
【００６３】
このようにして、電線保持部３２０に挟持された電線８は、連結部３３０によって冷媒配管５から隔てられた状態で保持される。さらに、冷媒配管保持部３１０、電線保持部３２０および連結部３３０は、熱伝導率が比較的小さいプラスチックから形成されている。したがって、冷媒配管５が発熱して高温になっても、冷媒配管保持部３１０、電線保持部３２０および連結部３３０によって冷媒配管５から電線８への熱伝導が抑制され、冷媒配管５の発熱によって電線８が損傷を受けることを抑制できる。
【００６４】
さらに、冷媒配管保持部３１０と電線保持部３２０が連結部３３０によって連結されてひとつの電線固定具３０１としてまとめられている。したがって、従来のように断熱材と結束バンドを使用しなくても、電線固定具３０１ひとつで電線８を、冷媒配管５から電線８への熱伝導を抑制しつつ冷媒配管５に固定することができる。したがって、冷媒配管５への電線８の固定に必要となる部品点数および工数を削減して室外ユニットの組み立て作業の効率化を図り、空調システムの室外機の製造コストの削減を図ることができる。
【００６５】
以上、本発明の実施形態について図面を参照して詳述してきたが、具体的な構成はこの実施形態に限られるものではなく、本発明の要旨を逸脱しない範囲の設計変更等も含まれる。
【符号の説明】
【００６６】
１、１’、１０１、２０１、３０１  電線固定具
５  冷媒配管
８  電線
１０、４０、１１０、２１０、３１０  冷媒配管保持部
２０、１２０、２２０、３２０  電線保持部
２３  クッション（弾性部）
３０、１３０、２３０、３３０  連結部
４０Ａ  把持部
４０Ｂ  押圧部
２２３  弾性部
【図１】
0005582759.tif 000002
【図２】
0005582759.tif 000003
【図３】
0005582759.tif 000004
【図４】
0005582759.tif 000005
【図５】
0005582759.tif 000006
【図６】
0005582759.tif 000007
【図７】
0005582759.tif 000008
【図８】
0005582759.tif 000009
【図９】
0005582759.tif 000010
【図１０】
0005582759.tif 000011
【図１１】
0005582759.tif 000012